(57)【要約】【課題】エレベータのセキュリティを向上させること。【解決手段】エレベータセキュリティ装置は、エレベータの乗員の認証情報を取得する認証情報取得手段と、認証情報取得手段によって取得された認証情報に基づいて、乗員がエレベータの利用を許可された乗員であるかの認証を行う認証手段と、認証手段によって、乗員がエレベータの利用を許可された乗員であると判定された場合に、認証情報取得手段によって取得された認証情報に基づいて、乗員の行先階を特定する行先階特定手段と、エレベータの操作盤に配置された行先階を指定するための複数の行先階ボタンのうち、行先階特定手段で特定した行先階を指定するための行先階ボタンに電力を供給するように制御する制御手段とを備える。【選択図】図１
2013010573.tif 000002
【特許請求の範囲】
【請求項１】
エレベータの乗員の認証情報を取得する認証情報取得手段と、
前記認証情報取得手段によって取得された前記認証情報に基づいて、前記乗員がエレベータの利用を許可された乗員であるかの認証を行う認証手段と、
前記認証手段によって、前記乗員がエレベータの利用を許可された乗員であると判定された場合に、前記認証情報取得手段によって取得された前記認証情報に基づいて、前記乗員の行先階を特定する行先階特定手段と、
エレベータの操作盤に配置された行先階を指定するための複数の行先階ボタンのうち、前記行先階特定手段で特定した行先階を指定するための前記行先階ボタンに電力を供給するように制御する制御手段とを備えることを特徴とするエレベータセキュリティ装置。
【請求項２】
請求項１に記載のエレベータセキュリティ装置において、
前記認証情報取得手段は、前記乗員が所持するＩＣカードに記録されている情報、または前記乗員が入力した暗証番号を前記認証情報として取得することを特徴とするエレベータセキュリティ装置。
【請求項３】
請求項２に記載のエレベータセキュリティ装置において、
前記乗員が所持するＩＣカードに記録されている情報は、前記乗員の行先階を示す情報を含み、
前記行先階特定手段は、前記認証情報に含まれる前記乗員の行先階を示す情報に基づいて、前記乗員の行先階を特定することを特徴とするエレベータセキュリティ装置。
【請求項４】
請求項２または３に記載のエレベータセキュリティ装置において、
前記暗証番号と前記乗員の行先階を示す情報とを関連付けて記録する記録手段をさらに備え、
前記行先階特定手段は、入力された暗証番号に関連付けられている前記乗員の行先階を示す情報に基づいて、前記乗員の行先階を特定することを特徴とするエレベータセキュリティ装置。
【請求項５】
請求項１〜４に記載のエレベータセキュリティ装置において、
前記制御手段は、前記行先階特定手段による特定結果にかかわらず、建物のエントランスがある階を指定するための前記行先階ボタンに電力を供給するように制御することを特徴とするエレベータセキュリティ装置。
【発明の詳細な説明】
【技術分野】
【０００１】
本発明は、エレベータセキュリティ装置に関する。
【背景技術】
【０００２】
次のようなエレベータの制御装置が知られている。このエレベータの制御装置は、乗員が所持するカードから読み出した情報に基づいて認証を行い、正当な利用者である場合には、行先階ボタンの操作を許可する。そして、乗員が行先と指定した階数と、乗員が所持するカードから読み出した階数とが一致する場合には、エレベータを行先階へ移動させる
（例えば、特許文献１）。
【先行技術文献】
【特許文献】
【０００３】
【特許文献１】特開２００６−１５１５８０号公報
【発明の概要】
【発明が解決しようとする課題】
【０００４】
しかしながら、従来のエレベータの制御装置は、乗員が操作した行先階ボタンの階数に関する情報を取得したり、エレベータを行先階へ移動させるための情報をエレベータに対して出力したりする必要があるため、装置規模が大きくなり、コストも高価であった。。
【課題を解決するための手段】
【０００５】
本発明によるエレベータセキュリティ装置は、エレベータの乗員の認証情報を取得する認証情報取得手段と、認証情報取得手段によって取得された認証情報に基づいて、乗員がエレベータの利用を許可された乗員であるかの認証を行う認証手段と、認証手段によって、乗員がエレベータの利用を許可された乗員であると判定された場合に、認証情報取得手段によって取得された認証情報に基づいて、乗員の行先階を特定する行先階特定手段と、エレベータの操作盤に配置された行先階を指定するための複数の行先階ボタンのうち、行先階特定手段で特定した行先階を指定するための行先階ボタンに電力を供給するように制御する制御手段とを備えることを特徴とする。
【発明の効果】
【０００６】
本発明によれば、装置規模を小さくするとともにコスト的にも有利なエレベータセキュリティ装置を提供することができる。
【図面の簡単な説明】
【０００７】
【図１】エレベータセキュリティ装置１００の一実施の形態の構成を示すブロック図である。
【図２】エレベータセキュリティ装置１００と操作盤２００との接続例を模式的に示す図である。
【図３】エレベータセキュリティ装置１００における処理の流れを示すフローチャート図である。
【発明を実施するための形態】
【０００８】
図１は、本実施の形態におけるエレベータセキュリティ装置の一実施の形態の構成を示すブロック図である。エレベータセキュリティ装置１００は、カードリーダー１０１と、テンキー１０２と、操作パネル１０３と、制御装置１０４と、接続用インターフェース１０５とを備えている。
【０００９】
エレベータセキュリティ装置１００は、例えば図２に示すように、エレベータかご内の操作盤２００の近傍に設置され、操作盤２００と接続用インターフェース１０５とが配線３００により接続される。これにより、配線３００を介して、エレベータセキュリティ装置１００から操作盤２００に対して制御信号を送信することができる。なお、図２において、操作パネル１０３は、鍵付きの管理用操作箱１０３ａの内部に格納されており、一般の乗員は操作できないようになっている。
【００１０】
カードリーダー１０１は、ＩＣチップが埋め込まれたＩＣカード等から情報を読み出すためのリーダーとして、例えば非接触型カードリーダーが用いられる。テンキー１０２は、エレベータの乗員が操作可能な入力部材である。このテンキー１０２には、例えば、０〜９までの１０個の数字ボタンと、その他の記号ボタンと、ＯＫボタン等が配置されている。
【００１１】
操作パネル１０３は、上述したように鍵付きの管理用操作箱１０３ａの内部に格納されており、エレベータセキュリティ装置１００の管理のみが操作できるようになっている。この操作パネル１０３は、例えば、上述したテンキーと同様に数字ボタン、記号ボタン、ＯＫボタン等で構成され、管理者が後述する暗証番号を設定または変更する際に操作する。
【００１２】
制御装置１０４は、ＣＰＵ、メモリ、およびその他の周辺回路によって構成され、エレベータセキュリティ装置１００の全体を制御する。なお、制御装置１０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、エレベータセキュリティ装置１００を動作させるためのソフトウェアのプログラムデータが記録される。
【００１３】
接続用インターフェース１０５は、図２に示したように、操作盤２００とエレベータセキュリティ装置１００とを配線３００を介して接続するためのインターフェースである。接続用インターフェース１０５は、配線３００を介して操作盤２００への電力供給を制御する回路と接続される。これによって、エレベータセキュリティ装置１００は、操作盤２００への電力供給を制御することが可能となる。本実施の形態では、エレベータセキュリティ装置１００は、配線３００を介して、操作盤２００上に配置されている行先階を指定するための階数ボタン２０１のそれぞれに対する電力の供給を制御する。なお、操作盤２００上に配置されている階数ボタン２０１のそれぞれ（以下、「行先階ボタン」と呼ぶ）への電力供給の制御は、制御装置１０４によって行われ、その制御方法の具体例については後述する。
【００１４】
本実施の形態におけるエレベータセキュリティ装置１００は、不審者がエレベータを利用して建物内に侵入することを防ぐために、エレベータの利用が許可された乗員のみが目的の階へ移動できるようにすることを目的として、上述した行先階ボタンへの電力供給制御を行う。本実施の形態では、エレベータの利用が常時許可されている乗員、例えば建物の住人は、あらかじめ認証用のＩＣカードを所持しており、このＩＣカードをカードリーダー１０１にかざして認証を行うことにより、エレベータの利用が可能となる。また、エレベータの利用が一時的に許可された乗員、例えば建物の訪問者は、あらかじめ訪問先の住人から暗証番号が通知されており、この暗証番号をテンキー１０２を操作して入力することにより、エレベータの利用が可能となる。また、ＩＣカードを所持し忘れた住人も同様に暗証番号をテンキー１０２を操作して入力することにより、エレベータの利用が可能となる。
【００１５】
以下、本実施の形態におけるエレベータセキュリティ装置１００の処理について説明する。ここでは、５階建てのビルを想定し、操作盤２００には、１階〜５階のそれぞれを行先階として指定するための行先階ボタンとして、１階ボタン、２階ボタン、３階ボタン、４階ボタン、５階ボタンが配置されており、１階が建物への出入り口があるエントランス階である場合を例として説明する。なお、建物の階数や出入り口があるエントランス階は、この例に限定されるものではない。
【００１６】
制御装置１０４は、エントランス階である１階を行先階として指定するための１階ボタンには、常に電力を供給して通電させておく。これにより、どの階から乗った乗員に対してもエントランス階への移動は許可することができる。一方で、エントランス階以外の階を行先階として指定するための２階ボタン〜５階ボタンは、乗員の認証が完了するまでは電力供給を遮断するように制御する。具体的には、制御装置１０４は、配線３００を介して、操作盤２００への電力供給を制御する回路に対して、２階ボタン〜５階ボタンのそれぞれへの電力供給を遮断するための信号を送信することにより、乗員が２階ボタン〜５階ボタンを押してもこれらの行先階を指定できないようにする。
【００１７】
制御装置１０４は、カードリーダー１０１を介したＩＣカード情報の入力、またはテンキー１０２を介した暗証番号の入力を待ち受け、これらのいずれかが入力された場合には、認証処理を行って、その乗員がエレベータの利用を許可されているか否かを判定する。
【００１８】
まず、乗員によってカードリーダー１０１にＩＣカードがかざされた場合の処理について説明する。ＩＣカードには、ＩＣチップ内にそのＩＣカードを所持する乗員を特定するための情報、例えば乗員ＩＤ等とともに、その乗員の行先階を示す情報が記録されている。乗員の行先階とは、その乗員の住戸がある階を示し、例えばその乗員が５階に住んでいる場合には、行先階を示す行先階情報として５階を示す情報が記録されている。
【００１９】
制御装置１０４は、カードリーダー１０１にＩＣカードがかざされたことを検出した場合には、ＩＣカードから上述した乗員ＩＤと行先階情報を読み取る。制御装置１０４が備えるフラッシュメモリには、あらかじめエレベータの利用が常時許可されている乗員の乗員ＩＤと行先階情報とが関連付けられて記録されており、制御装置１０４は、このあらかじめ登録されている情報とＩＣカードから読み出した情報とを照合することによって認証を行う。
【００２０】
具体的には、制御装置１０４は、ＩＣカードから読み出した乗員ＩＤと行先階情報が、フラッシュメモリに記録されているものと一致する場合には、その乗員はエレベータの利用が常時許可されている乗員であると判断し、認証ＯＫとする。一方、制御装置１０４は、ＩＣカードから読み出した乗員ＩＤと行先階情報が、フラッシュメモリに記録されているものと一致しない場合には、その乗員はエレベータの利用が常時許可されている乗員ではないと判断し、認証ＮＧとする。
【００２１】
制御装置１０４は、上記認証処理の結果、認証ＯＫと判定した場合には、認証に用いた行先階情報に基づいて乗員の行先階を特定する。そして、制御装置１０４は、配線３００を介して、操作盤２００上に配置されている行先階ボタンのうち、その乗員の行先階を指定するための行先階ボタンに電力供給を行うように、操作盤２００の電力供給回路を制御する。例えば、行先階情報に基づいて、乗員の行先階が３階であると特定した場合には、３階ボタンに電力供給を行うように制御することで、乗員に３階ボタンの操作を許可する。これにより、乗員は、自身の住戸がある階を行先階に指定して、エレベータを移動させることができる。一方で、乗員は、自身の住戸がある階以外の行先階ボタンは操作することができないので、エレベータのセキュリティを高めることができる。
【００２２】
次に、乗員によってテンキー１０２が操作されて暗証番号が入力された場合の処理について説明する。上述したように、エレベータの利用が一時的に許可された乗員に対しては、あらかじめ訪問先の住人から暗証番号が通知されている。この暗証番号は、鍵付きの管理用操作箱１０３ａ内に格納された操作パネル１０３を操作して、エレベータの管理者があらかじめ設定しておく。例えば、エレベータの管理者は、各住戸ごとに、所定桁数、例えば４桁〜６桁の暗証番号を設定して、各住戸の住人に通知しておく。エレベータの管理者は、一定期間ごとに暗証番号を変更して、住人に通知し直すことにより、セキュリティをより高めることができる。ここで設定または変更された暗証番号は、乗員の行先階を示す情報と関連付けて制御装置１０４のフラッシュメモリに記録される。なお、ここでの乗員の行先階を示す情報としては、例えば各住戸の部屋番号が記録される。
【００２３】
制御装置１０４は、テンキー１０２が操作されて暗証番号が入力されたことを検出した場合には、入力された暗証番号と、あらかじめ登録されてフラッシュメモリに記録されている暗証番号とを照合することによって認証を行う。
【００２４】
具体的には、制御装置１０４は、入力された暗証番号が、フラッシュメモリに記録されているものと一致する場合には、その乗員はエレベータの利用が一時的に許可されている乗員であると判断し、認証ＯＫとする。一方、制御装置１０４は、入力された暗証番号が、フラッシュメモリに記録されているものと一致しない場合には、その乗員はエレベータの利用が一時的に許可されている乗員ではないと判断し、認証ＮＧとする。
【００２５】
制御装置１０４は、上記認証処理の結果、認証ＯＫと判定した場合には、認証に用いた暗証番号に関連付けられている部屋番号に基づいて乗員の行先階を特定する。そして、制御装置１０４は、配線３００を介して、操作盤２００上に配置されている行先階ボタンのうち、その乗員の行先階を指定するための行先階ボタンに電力供給を行うように、操作盤２００の電力供給回路を制御する。例えば、乗員の行先階が２階であると特定した場合には、２階ボタンに電力供給を行うように制御することで、乗員に２階ボタンの操作を許可する。これにより、乗員は、訪問先の住戸がある階を行先階に指定して、エレベータを移動させることができる。一方で、乗員は、訪問先の住戸がある階以外の行先階ボタンは操作することができないので、エレベータのセキュリティを高めることができる。
【００２６】
図３は、本実施の形態における処理の流れを示すフローチャートである。図３に示す処理は、エレベータセキュリティ装置１００の電源がオンされると起動するプログラムとして、制御装置１０４によって実行される。なお、制御装置１０４は、図３の処理開始時には、エントランス階を行先階として指定するための行先階ボタン、例えば１階ボタンにのみ電力を供給するように制御し、他の行先階ボタンには電力を供給しないように制御する。これにより、認証ＯＫとなるまでは、エントランス階の行先階ボタンしか操作ができないようにすることができる。
【００２７】
ステップＳ１０において、制御装置１０４は、カードリーダー１０１にＩＣカードがかざされ、ＩＣカードから上述した乗員ＩＤと行先階情報とを読み出したか否かを判断する。ステップＳ１０で肯定判断した場合には、ステップＳ３０へ進む。これに対して、ステップＳ１０で否定判断した場合には、ステップＳ２０へ進む。
【００２８】
ステップＳ２０では、制御装置１０４は、テンキー１０２が操作されて上述した暗証番号が入力されたか否かを判断する。ステップＳ２０で肯定判断した場合には、ステップＳ３０へ進む。これに対して、ステップＳ２０で否定判断した場合には、ステップＳ１０へ戻る。
【００２９】
ステップＳ３０では、制御装置１０４は、ステップＳ１０で読み取った乗員ＩＤと行先階情報、またはステップＳ２０で入力された暗証番号に基づいて、上述した認証処理を行い、乗員がエレベータの利用を許可されているか否かを判定する。その後、ステップＳ４０へ進む。
【００３０】
ステップＳ４０では、制御装置１０４は、ステップＳ３０における認証処理の結果に基づいて、認証ＯＫであったか否かを判断する。ステップＳ４０で否定判断した場合には、処理を終了する。これに対して、ステップＳ４０で肯定判断した場合には、ステップＳ５０へ進む。
【００３１】
ステップＳ５０では、制御装置１０４は、上述したように、乗員の行先階を特定する。すなわち、ＩＣカードから読み出した情報に基づいて認証を行った場合は、認証に用いた行先階情報に基づいて乗員の行先階を特定する。また、暗証番号に基づいて認証を行った場合には、認証に用いた暗証番号に関連付けられている部屋番号に基づいて乗員の行先階を特定する。その後、ステップＳ６０へ進む。
【００３２】
ステップＳ６０では、制御装置１０４は、配線３００を介して、操作盤２００上に配置されている行先階ボタンのうち、乗員の行先階を指定するための行先階ボタンに電力供給を行うように、操作盤２００の電力供給回路を制御する。これによって、乗員は、操作盤２００上で自身の行先階を指定することが可能となる。その後、処理を終了する。
【００３３】
以上説明した本実施の形態によれば、以下のような作用効果を得ることができる。
（１）制御装置１０４は、あらかじめ登録されている情報とＩＣカードから読み出した情報とを照合することによって認証を行い、認証ＯＫの場合には、認証に用いた行先階情報に基づいて乗員の行先階を特定し、操作盤２００上に配置されている行先階ボタンのうち、乗員の行先階に対応する行先階ボタンに電力供給を行うように制御するようにした。これによって、操作盤２００上では、乗員の行先階を指定するための行先階ボタンが操作可能となるため、乗員は、自身の住戸がある階を行先階に指定して、エレベータを移動させることができる。一方で、乗員は、自身の住戸がある階以外の行先階ボタンは操作することができないので、エレベータのセキュリティを高めることができる。
【００３４】
（２）制御装置１０４は、あらかじめ登録されている暗証番号と入力された暗証番号とを照合することによって認証を行い、認証ＯＫの場合には、暗証番号に関連付けて記録されている部屋番号に基づいて乗員の行先階を特定し、操作盤２００上に配置されている行先階ボタンのうち、乗員の行先階に対応する行先階ボタンに電力供給を行うように制御するようにした。これによって、操作盤２００上では、乗員の行先階を指定するための行先階ボタンが操作可能となるため、乗員は、訪問先の住戸がある階を行先階に指定して、エレベータを移動させることができる。一方で、乗員は、訪問先の住戸がある階以外の行先階ボタンは操作することができないので、エレベータのセキュリティを高めることができる。
【００３５】
（３）制御装置１０４は、エントランス階である１階を行先階として指定するための１階ボタンには、常に電力を供給して通電させておくようにした。これによって、どの階から乗った乗員に対してもエントランス階への移動を許可することができる。
【００３６】
（４）エレベータセキュリティ装置１００は、図２に示したように、エレベータかご内の操作盤２００の近傍に設置され、操作盤２００と接続用インターフェース１０５とを配線３００により接続することにより、各行先階ボタンへの電力供給を制御する構成とした。これにより、既存のエレベータにエレベータセキュリティ装置１００を取り付けるだけで、安価にエレベータのセキュリティを向上させることができる。
【００３７】
―変形例―
なお、上述した実施の形態の介護用品検索システムは、以下のように変形することもできる。
（１）上述した実施の形態では、ＩＣカードには、ＩＣチップ内にそのＩＣカードを所持する乗員を特定するための情報、例えば乗員ＩＤ等とともに、その乗員の行先階を示す情報が記録されており、これらの情報を用いて認証を行う例について説明した。しかしながら、ＩＣチップ内には、ＩＣカードを所持する乗員の行先階情報のみを記録するようにして、行先階情報のみを用いて認証を行うようにしてもよい。
【００３８】
（２）上述した実施の形態では、暗証番号を用いて認証を行う際の乗員の行先階を示す情報としては、例えば各住戸の部屋番号が用いられ、暗証番号は各住戸の部屋番号と関連付けて制御装置１０４のフラッシュメモリに記録される例について説明した。しかしながら、乗員の行先階を示す情報としては、部屋番号でなく、住戸のある階数を示す情報を用いてもよい。このようにしても制御装置１０４は、認証ＯＫの場合に暗証番号に基づいて乗員の行先階を特定することができる。
【００３９】
（３）上述した実施の形態では、制御装置１０４は、配線３００を介して、操作盤２００への電力供給を制御する回路に対して、各行先階ボタンへの電力供給を制御するための信号を送信することにより、各行先階ボタンへの電力供給を制御する例について説明した。しかしながら、各行先階ボタンへの電力供給の制御方法は、この方法に限定されない。例えば、操作盤２００内の電力供給回路から各行先階ボタンへ電力を供給するための電力供給用配線の途中に電力の供給と遮断を切り替えるためのスイッチを取り付け、制御装置１０４は、このスイッチのオンとオフとを切り替えることにより、各行先階ボタンへの電力供給を制御するようにしてもよい。具体的には、複数の行先階ボタンの内、エントランス階を指定するための行先階ボタンへ電力を供給する配線は常に通電させるためにスイッチを取り付けず、その他の階を指定するための行先階ボタンへ電力を供給する配線には、電力供給回路と行先階ボタンとの間にスイッチを取り付ける。制御装置１０４は、認証が完了するまでは、全ての行先階ボタンの配線に取り付けられたスイッチをオフに切り替えて電力を遮断し、行先階ボタンを操作できないようにする。一方で、認証が完了した場合には、その乗員の行先階を指定するための行先階ボタンの配線に取り付けられたスイッチのみをオンに切り替えて電力を供給することにより、その階を行先階として指定できるようにすればよい。このスイッチは、エレベータセキュリティ装置１００の筐体内部に設けても良いし、操作盤２００の内部に設けてもよい。あるいは、エントランス階を指定するための行先階ボタンへ電力を供給する配線にもスイッチを設け、該スイッチは常にオンにしておくようにしてもよい。
【００４０】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４１】
１００  エレベータセキュリティ装置、１０１  カードリーダー、１０２  テンキー、１０３  操作パネル、１０４  制御装置、１０５  接続用インターフェース、２００  操作盤、２０１  階数ボタン、３００  配線
【図１】
2013010573.tif 000003
【図２】
2013010573.tif 000004
【図３】
2013010573.tif 000005